【手続補正書】
【提出日】平成30年4月9日(2018.4.9)
【手続補正１】
【補正対象書類名】明細書
【補正対象項目名】０１６４
【補正方法】変更
【補正の内容】
【０１６４】
[00170] 図８ａは、例えば：  プロバイダ８０１が、
タイトルを少なくとも２つの第１のデートの組（図示されず）に分節すること；
少なくとも２つの第１のデータの組を、複数の第２のデータの組（shares：配分）８１７、８１８、８１９、８２０、８２１、８２２、８２３、および、８２４に分散すること；
それら配分を、少なくとも１つのコンテンツダウンロードサーバ８０２と少なくとも１つの鍵配分サーバ８０３、８０４、および、８０５に接続された記憶場所（図示されず）に記憶すること；  および／または、
少なくともひとりのユーザ（user）によって動作される少なくとも１つの装置に、本開示と一致する方法で、通信ネットワーク上を、少なくとも１つの伝送路８１０、８１１、および、８１２によって、少なくとも１つの鍵配分（key share）８０６、８０７、および、８０８を、少なくともひとりのユーザ（user）８２５によって操作される少なくとも１つの装置８１４に伝送すること；
によって、損失、または、海賊行為からコンテンツを保護するためにデータ安全性、持続性、高い可用性を提供する超安全な分散されたデジタル権利管理システム（dispersed digital rights management system：ＤＤＲＭ）のためのシステム８００の概略図表現である。
【手続補正２】
【補正対象書類名】明細書
【補正対象項目名】０１６５
【補正方法】変更
【補正の内容】
【０１６５】
[00171] ユーザ８２５がプロバイダ８０１からのタイトル（図８ｂの８３１）を要求する（図８ｂの８２７）場合、その要求を受け取ったプロバイダは、ユーザの装置８１４の装置メモリ８１６上に記憶されるべき複数の配分（記憶可能な鍵配分のグループ８１３）を伝送し得る。装置８１４で動作するプレーヤ８１５は、プロバイダ８０１から記憶可能な配分グループ８１３を受け取り、装置メモリ８１６に、その記憶可能な配分グループ８１３を記憶し得、ここで、それは、それが明確に削除されるまで存在し得る。
【手続補正３】
【補正対象書類名】明細書
【補正対象項目名】０１６６
【補正方法】変更
【補正の内容】
【０１６６】
[00172] ユーザ８２５がプレーヤの再生機能を起動すると、プレーヤ８１５は、要求されたタイトルのための記憶可能な配分グループ８１３を備える配分の全てを分節し得、ほぼ同時に、鍵配分８０６、８０７、および、８０８を要求し得る。ネットワーク可用性、現在のデータスループット負荷、待ち時間の要因、等々のような外部要因に応じて、鍵配分サーバは、例えば、鍵配分サーバ＃１ ８０３等が選択され得、選択された配分サーバは、装置８１４上にタイトルを提示するように合計配分の最小限の数を再組み立てするために、鍵配分８０６が、プレーヤ８１５によって受け取られ、記憶可能な配分グループ８１３を備える配分と組み合され得るような方法で、鍵配分８０６を伝送経路８１０上で装置８１４にストリーミングすることを開始し得る。
【手続補正４】
【補正対象書類名】明細書
【補正対象項目名】０１６７
【補正方法】変更
【補正の内容】
【０１６７】
[00173] 図８ｂは、それによって、少なくとも１つのタイトル８３１が少なくとも２つの第１のデータの組に分節され（８３２）、オプションとして、圧縮され、および／または、例えば、本発明の実施形態に従った１２の内の９（9-of-12）の分割比を用いて、少なくとも２つの第２のデータの組に分散される（８３３）ように、コンテンツを処理するためのシステム８００のフローチャート図表現である。少なくとも２つのデータの組の少なくとも１つの各々は、少なくとも１つのコンテンツダウンロードサーバ８０２のメモリに記憶され得、および、少なくとも１つの鍵配分（key shares）ストリームサーバ８０３に記憶され得る。少なくとも２つのデータの組（stored shares）のその他は、少なくとも１つのコンテンツダウンロードサーバ８０２に記憶され得る。加えて、鍵配分と記憶された配分は、図１のシステム１００に従って開示された教示と一致する方法で、サーバのメモリ、または、サーバに取り付けられたメモリに記憶され得る。鍵配分と記憶された配分は、また、図５のシステム５００に従って開示された教示に一致する方法で、グローバルに分離された複数のデータセンターに設けられたサーバのメモリ、または、サーバに取り付けられたメモリに記憶され得る。
【手続補正５】
【補正対象書類名】明細書
【補正対象項目名】０１６８
【補正方法】変更
【補正の内容】
【０１６８】
[00174] システム８００は、タイトル８３１に対するユーザ要求を受け取り、タイトルに関連付けられた記憶されている配分を探索し得る。要求は、そのタイトルのプロバイダと関連付けられた配布エントリポイントに送られ得、配分生成に権限が与えられ得る（８２８）。要求が正当なユーザから来たものではない場合、配分生成に権限は与えられず、処理は終了し得る。しかし、認証が、ユーザが正当であることを示す場合、および、タイトルのための記憶される配分が既に存在する場合、鍵配分は、分節され、分散され、および、記憶される（８２９）。記憶される配分がまだ存在しない場合、全ての記憶される配分が分節され、分散され、および、記憶される（８３０）。従って、タイトルは取り出され得る（８３１）。タイトルは、２つ以上のスライスに分割され得る（８３２）。情報分散化アルゴリズムが、各スライスをデータプリミティブに変換し、それらプリミティブを配分に分割するために用いられ得る（８３３）。鍵配分が生成され得（８３４）、１つの鍵配分が要求している装置に送られ得る（８３６）。また、記憶される配分がタイトルについて存在しない場合、それらが生成され得（８３７）、要求している装置に送られ得る（８３９）。以下の検討は、図８ｂに図示された処理の実施形態に一致する、いくつかの追加の詳細を提供する。
【手続補正６】
【補正対象書類名】明細書
【補正対象項目名】０１６９
【補正方法】変更
【補正の内容】
【０１６９】
[00175] 本開示に一致する方法でコンテンツの処理を実装するソフトウェアは、少なくとも１つの鍵配分サーバ８０３における、少なくとも１つのコンテンツダウンロードサーバ８０２における、および／または、必要とされ得るそのような他のサーバにおけるサーバ側サービス（service）として自動的に実行され得る。この実施形態との更なる一致において、ユーザ８２５がタイトル８３１を要求する場合、その要求は、例えば、店またはｗｅｂｓｉｔｅ８２８等のプロバイダの配布エントリポイントに送られる。要求は、それが権限のあるユーザ８２５から来ているかどうかを決定するために検証され得る。要求が正当である場合、プレーヤ８１５は、装置のメモリ８１６を、タイトルの記憶可能な配分グループ８１３を求めて探索する。要求された記憶可能な配分グループ８１３が存在しない場合、プレーヤ８１５は、サービスに、記憶された配分を、本開示に一致する方法において元のタイトルデータの組に損失なく同じである中間のデータの組（intermediate：中間生成物）に再組み立てさせ得る。更に、その中間生成物は、少なくとも１つの鍵配分グループ８３０を生成するために、および、記憶される配分グループ８１３にグループ化される、少なくとも１つの記憶される配分８１７、８１８、８１９、８２０、８２１、８２２、８２３、および、８２４を生成するために、本開示に一致する方法で、分節され、オプションとして圧縮され、および／または、分散され得る。更に、記憶可能な配分グループ８１３は、装置８１４の装置メモリ８１６にダウンロードされ得、それによって、プレーヤ８１５は、装置８１４に、装置メモリ８１６における記憶可能な配分グループ８１３を記憶させ得る。そして、プレーヤ８１５は、合計配分の最小の数を再組み立てし、ユーザ８２５に対して装置８１４上にタイトルを示すために、例えば、鍵配分８０７等の少なくとも１つの鍵配分がプレーヤ８１５によって受け取られ、記憶可能な配分グループ８１３を備える記憶可能な配分と組み合され得るような方法で、サービスに、少なくとも１つの鍵配分８０６、８０７、および、８０８を装置８１４にストリーミングさせ得る。